(57)【要約】【課題】看板としての表示機能を損なわず、表示部材のあらゆる場所に、前後左右あらゆる方向から、自由に照明機能を発揮し、特定の文字や内容を強調し、被掲示構造物の形状に対応できる照明装置付きシート状案内表示物の製造方法に関する技術を提供する。【解決手段】照明装置（Ｓ）を備えた案内表示物を製造する方法であって、シート部材（１０）は、スリット（２０）を設ける構成から成り、該シート部材（１０）の裏側に、照明装置（Ｓ）が設けられ、前記シート部材（１０）は、全部又は一部を表示可能領域（１１）とする可撓性を有するシート状であり、前記スリット（２０）は、前記シート部材（１０）の表示可能領域（１１）側に照明装置（Ｓ）からの光が裏側から通過する光通過穴（２１）となり、前記シート部材（１０）に設けられたスリット（２０）の穴であり、前記照明装置の照明光が該スリット（２０）を通過するという手段を取った。【選択図】図１
2019074615.tif 000002
【特許請求の範囲】
【請求項１】
照明装置（Ｓ）を備えた案内表示物を製造する方法であって、シート部材（１０）は、スリット（２０）を設ける構成から成り、該シート部材（１０）の裏側に、照明装置（Ｓ）が設けられ、前記シート部材（１０）は、全部又は一部を表示可能領域（１１）とする可撓性を有するシート状であり、前記スリット（２０）は、前記シート部材（１０）の表示可能領域（１１）側に照明装置（Ｓ）からの光が裏側から通過する光通過穴（２１）となり、前記シート部材（１０）の任意の特定の位置に少なくとも１以上を設けられたスリット（２０）の穴であり、前記照明装置（Ｓ）からの照明光が該スリット（２０）を通過することを特徴とする照明装置（Ｓ）付きシート状案内表示物の製造方法（１）。
【請求項２】
照明装置（Ｓ）を備えた案内表示物を製造する方法であって、シート部材（１０）は、スリット（２０）と開口保持部材（２９）を設ける構成から成り、該シート部材（１０）の裏側あるいは、裏側の側方あるいは上下方部に、照明装置（Ｓ）が設けられ、前記シート部材（１０）は、全部又は一部を表示可能領域（１１）とする可撓性を有するシート状であり、前記スリット（２０）は、前記シート部材（１０）の表示可能領域（１１）側に照明からの光が裏側から通過する光通過穴（２１）となり、前記シート部材（１０）の任意の位置に少なくとも１以上を設けられたスリット（２０）の穴であり、前記開口保持部材（２９）は前記任意の位置に設けられたスリット（２０）位置に設けられ、前記スリット（２０）を前記シート部材（１０）の略面直方向に開口させた面直開口部を保持する開口保持部材（２９）であり、前記光通過穴（２１）を通過した、前記照明装置（Ｓ）からの光で、表示可能領域（１１）を照らすことを特徴とする照明装置（Ｓ）付きシート状案内表示物の製造方法（１）。
【請求項３】
前記照明装置（Ｓ）付きシート状案内表示物の製造方法（１）において、前記スリット（２０）が、断続的に設けられたことを特徴とする請求項１または請求項２に記載の照明装置（Ｓ）付きシート状案内表示物の製造方法（１）。
【請求項４】
前記照明装置（Ｓ）付きシート状案内表示物の製造方法（１）において、前記照明装置（Ｓ）がスリット（２０）部に設けられた、スリット（２０）照明装置（Ｓ）を設けたことを特徴とする請求項１から請求項３のいずれかに記載の照明装置（Ｓ）付きシート状案内表示物の製造方法（１）。
【請求項５】
前記照明装置（Ｓ）付きシート状案内表示物の製造方法（１）において、前記スリット（２０）照明装置（Ｓ）が、スリット（２０）部に設けられており、且つ、前記スリット（２０）を前記シート部材（１０）の略面直方向に開口させた面直開口部を保持する開口保持部材（２９）でもあることを特徴とする請求項１から請求項４のいずれかに記載の照明装置（Ｓ）付きシート状案内表示物の製造方法（１）。
【請求項６】
前記照明装置（Ｓ）付きシート状案内表示物の製造方法（１）において、前記スリット（２０）照明装置（Ｓ）が、前記シート部材（１０）に貼着されたことを特徴とする請求項１から請求項５のいずれかに記載の照明装置（Ｓ）付きシート状案内表示物の製造方法（１）。
【請求項７】
前記照明装置（Ｓ）付きシート状案内表示物の製造方法（１）において、前記シート部材（１０）は支持材（２３）に設けられており、該支持材（２３）は、該シート部材（１０）の位置を保持する機能を持ち、前記スリット（２０）照明装置（Ｓ）が該支持材（２３）に設けられたことを特徴とする請求項１から請求項６のいずれかに記載の照明装置（Ｓ）付きシート状案内表示物の製造方法（１）。
【請求項８】
前記照明装置（Ｓ）付きシート状案内表示物の製造方法（１）において、前記スリット（２０）に前記スリット（２０）照明装置（Ｓ）が設けられ、前記面直開口部において、面直開口部の上側の開口辺を上側開口辺（２７）、下側の開口辺を下側開口辺（２８）とし、下側開口辺（２８）側の前記シート部材（１０）に、照明支持補助部材（３５）が設けられ、前記スリット（２０）照明装置（Ｓ）が、該照明支持補助部材（３５）に設けられたことを特徴とする請求項１から請求項７のいずれかに記載の照明装置（Ｓ）付きシート状案内表示物の製造方法（１）。
【請求項９】
前記照明装置（Ｓ）付きシート状案内表示物の製造方法（１）において、前記面直開口部において、面直の上側の開口辺を上側開口辺（２７）、下側の開口辺を下側開口辺（２８）とし、前記上側開口辺（２７）または前記下側開口辺（２８）の内側に、照明を反射させる照明反射加工部（２６）が設けられたことを特徴とする請求項１から請求項８のいずれかに記載の照明装置（Ｓ）付きシート状案内表示物の製造方法（１）。
【請求項１０】
前記照明装置（Ｓ）付きシート状案内表示物の製造方法（１）において、前記照明装置（Ｓ）付きシート状案内表示物が２以上のシート部材（１０）からなり、前記面直開口部が、２以上のシート部材（１０）によって形成されていることを特徴とする請求項１から請求項９のいずれかに記載の照明装置（Ｓ）付きシート状案内表示物の製造方法（１）。
【請求項１１】
前記２以上のシート部材（１０）からなる照明装置（Ｓ）付きシート状案内表示物の製造方法（１）において、前記面直開口部が、２以上のシート部材（１０）によって形成され、該２以上のシート部材（１０）の内、２のシート部材（１０）の、該２のシート部材（１０）の内、１のシート部材（１０）をシート部材Ａ（８９）、他方の１のシート部材（１０）をシート部材Ｂ（８８）として、シート部材Ａ（８９）が前記下側開口辺（２８）を形成し、シート部材Ｂ（８８）が上側開口辺（２７）を形成し、照明装置（Ｓ）Ｓが、上側開口辺（２７）の内側に設けられていることを特徴とする請求項１から請求項１０のいずれかに記載の照明装置（Ｓ）付きシート状案内表示物の製造方法（１）。
【請求項１２】
照明装置（Ｓ）を備えた案内表示物を製造する方法であって、２以上のシート部材（１０）からなり、前記シート部材（１０）は、全部又は一部を表示可能領域（１１）とする可撓性を有するシート状であり、該２以上のシート部材（１０）の内、２のシート部材（１０）において、該２のシート部材（１０）の内１のシート部材（１０）をシート部材Ａ（８９）とし、他のシート部材（１０）をシート部材Ｂ（８８）とし、該シート部材Ａ（８９）に照明装置（Ｓ）の照明支持補助部材（３５）を設け、該照明装置（Ｓ）の照明支持補助部材（３５）に照明装置（Ｓ）を設け、該照明装置（Ｓ）を挟んで、シート部材Ｂ（８８）が設けられたことを特徴とする照明装置（Ｓ）付きシート状案内表示物の製造方法（１）。
【請求項１３】
前記２以上のシート部材（１０）の内、１以上が、板状部材であることを特徴とする請求項１０から請求項１２に記載の照明装置（Ｓ）付きシート状案内表示物の製造方法（１）
【請求項１４】
照明装置（Ｓ）を備えた案内表示物を製造する方法であって、シート部材（１０）は、スリット（２０）及び照明装置（Ｓ）を設ける構成から成り、前記シート部材（１０）は、全部又は一部を表示可能領域（１１）とする可撓性を有するシート状であり、前記スリット（２０）は、前記シート部材（１０）の表示可能領域（１１）側に照明装置（Ｓ）を突き出す照明突出穴となり、該照明突出穴に設けられた照明装置（Ｓ）を突出照明装置（Ｓ）とし、前記シート部材（１０）が、該突出照明装置（Ｓ）を備えたことを特徴とする照明装置（Ｓ）付きシート状案内表示物の製造方法（１）。
【請求項１５】
照明装置（Ｓ）を備えた案内表示物を製造する方法であって、前記突出照明装置（Ｓ）あるいはスリット（２０）照明装置（Ｓ）のスリット（２０）からの飛び出し量の調整が可能であることを特徴とする請求項１から請求項１４のいずれかに記載の照明装置（Ｓ）付きシート状案内表示物の製造方法（１）。
【請求項１６】
前記突出照明装置（Ｓ）あるいはスリット（２０）照明装置（Ｓ）を備えた案内表示物を製造する方法であって、前記シート部材（１０）が
１以上の構成からなり、前記シート部材（１０）は、１以上の構成では湾曲あるいは、屈曲されていることにより、あるいは、２以上の構成では前記シート部材（１０）の一辺が係止されていることにより、２方向以上に表示可能な該シート部材（１０）が１以上のスリット（２０）を設け、１以上の前記突出照明装置（Ｓ）あるいはスリット（２０）照明装置（Ｓ）を設け、２方向以上に表示可能であることを特徴とする請求項１から請求項１５のいずれかに記載の照明装置（Ｓ）付きシート状案内表示物の製造方法（１）。
【請求項１７】
前記２方向以上に表示可能である照明装置（Ｓ）付きシート状案内表示物の製造方法（１）において、重複した２のシート部材（１０）の裏側に、前記１以上の照明装置（Ｓ）が装着されているか、または、該重複した２のシート部材（１０）の間に設けられた前記照明支持補助部材（３５）を介して、前記照明装置（Ｓ）が装着されていることを特徴とした請求項１６に記載の照明装置（Ｓ）付きシート状案内表示物の製造方法（１）
【請求項１８】
照明装置（Ｓ）を備えた案内表示物を製造する方法であって、前記スリット（２０）が、曲線または折れ線であることを特徴とする請求項１から請求項１７のいずれかに記載の照明装置（Ｓ）付きシート状案内表示物の製造方法（１）。
【請求項１９】
照明装置（Ｓ）を備えた案内表示物を製造する方法であって、前記スリット（２０）が、ファスナー（７０）または面ファスナー（７０）で設けられたことを特徴とする請求項１から請求項１８のいずれかに記載の照明装置（Ｓ）付きシート状案内表示物の製造方法（１）。
【請求項２０】
照明装置（Ｓ）を備えた案内表示物であって、シート部材（１０）は、スリット（２０）を設ける構成から成り、該シート部材（１０）の裏側に、照明装置（Ｓ）が設けられ、前記シート部材（１０）は、全部又は一部を表示可能領域（１１）とする可撓性を有するシート状であり、前記スリット（２０）は、前記シート部材（１０）の表示可能領域（１１）側に照明装置（Ｓ）からの光が裏側から通過する光通過穴（２１）となり、前記シート部材（１０）の任意の特定の位置に少なくとも１以上を設けられたスリット（２０）の穴であり、前記照明装置（Ｓ）からの照明光が該スリット（２０）を通過することを特徴とする照明装置（Ｓ）付きシート状案内表示物（２）。
【請求項２１】
照明装置（Ｓ）を備えた案内表示物であって、シート部材（１０）は、スリット（２０）と開口保持部材（２９）を設ける構成から成り、該シート部材（１０）の裏側あるいは、裏側の側方あるいは上下方部に、照明装置（Ｓ）が設けられ、前記シート部材（１０）は、全部又は一部を表示可能領域（１１）とする可撓性を有するシート状であり、前記スリット（２０）は、前記シート部材（１０）の表示可能領域（１１）側に照明からの光が裏側から通過する光通過穴（２１）となり、前記シート部材（１０）の任意の位置に少なくとも１以上を設けられたスリット（２０）の穴であり、前記開口保持部材（２９）は前記任意の位置に設けられたスリット（２０）位置に設けられ、前記スリット（２０）を前記シート部材（１０）の略面直方向に開口させた面直開口部を保持する開口保持部材（２９）であり、前記光通過穴（２１）を通過した、前記照明装置（Ｓ）からの光で、表示可能領域（１１）を照らすことを特徴とする照明装置（Ｓ）付きシート状案内表示物（２）。
【請求項２２】
前記照明装置（Ｓ）付きシート状案内表示物（２）において、前記スリット（２０）が、断続的に設けられたことを特徴とする請求項２０または請求項２１に記載の照明装置（Ｓ）付きシート状案内表示物（２）。
【請求項２３】
前記照明装置（Ｓ）付きシート状案内表示物（２）において、前記照明装置（Ｓ）がスリット（２０）部に設けられた、スリット（２０）照明装置（Ｓ）を設けたことを特徴とする請求項２０から請求項２２のいずれかに記載の照明装置（Ｓ）付きシート状案内表示物（２）。
【請求項２４】
前記照明装置（Ｓ）付きシート状案内表示物（２）において、前記スリット（２０）照明装置（Ｓ）が、スリット（２０）部に設けられており、且つ、前記スリット（２０）を前記シート部材（１０）の略面直方向に開口させた面直開口部を保持する開口保持部材（２９）でもあることを特徴とする請求項２０から請求項２３のいずれかに記載の照明装置（Ｓ）付きシート状案内表示物（２）。
【請求項２５】
前記照明装置（Ｓ）付きシート状案内表示物（２）において、前記スリット（２０）照明装置（Ｓ）が、前記シート部材（１０）に貼着されたことを特徴とする請求項２０から請求項２４のいずれかに記載の照明装置（Ｓ）付きシート状案内表示物（２）。
【請求項２６】
前記照明装置（Ｓ）付きシート状案内表示物（２）において、前記シート部材（１０）は支持材（２３）に設けられており、該支持材（２３）は、該シート部材（１０）の位置を保持する機能を持ち、前記スリット（２０）照明装置（Ｓ）が該支持材（２３）に設けられたことを特徴とする請求項２０から請求項２５のいずれかに記載の照明装置（Ｓ）付きシート状案内表示物（２）。
【請求項２７】
前記照明装置（Ｓ）付きシート状案内表示物（２）において、前記スリット（２０）に前記スリット（２０）照明装置（Ｓ）が設けられ、前記面直開口部において、面直開口部の上側の開口辺を上側開口辺（２７）、下側の開口辺を下側開口辺（２８）とし、下側開口辺（２８）側の前記シート部材（１０）に、照明支持補助部材（３５）が設けられ、前記スリット（２０）照明装置（Ｓ）が、該照明支持補助部材（３５）に設けられたことを特徴とする請求項２０から請求項２６のいずれかに記載の照明装置（Ｓ）付きシート状案内表示物（２）。
【請求項２８】
前記照明装置（Ｓ）付きシート状案内表示物（２）において、前記面直開口部において、面直の上側の開口辺を上側開口辺（２７）、下側の開口辺を下側開口辺（２８）とし、前記上側開口辺（２７）または前記下側開口辺（２８）の内側に、照明を反射させる照明反射加工部（２６）が設けられたことを特徴とする請求項２０から請求項２７のいずれかに記載の照明装置（Ｓ）付きシート状案内表示物（２）。
【請求項２９】
前記照明装置（Ｓ）付きシート状案内表示物（２）において、前記照明装置（Ｓ）付きシート状案内表示物が２以上のシート部材（１０）からなり、前記面直開口部が、２以上のシート部材（１０）によって形成されていることを特徴とする請求項２０から請求項２８のいずれかに記載の照明装置（Ｓ）付きシート状案内表示物（２）。
【請求項３０】
前記２以上のシート部材（１０）からなる照明装置（Ｓ）付きシート状案内表示物（２）において、前記面直開口部が、２以上のシート部材（１０）によって形成され、該２以上のシート部材（１０）の内、２のシート部材（１０）において、該２のシート部材（１０）の内、１のシート部材（１０）をシート部材Ａ（８９）、他方の１のシート部材（１０）をシート部材Ｂ（８８）として、シート部材Ａ（８９）が前記下側開口辺（２８）を形成し、シート部材Ｂ（８８）が上側開口辺（２７）を形成し、照明装置（Ｓ）Ｓが、上側開口辺（２７）の内側に設けられていることを特徴とする請求項２０から請求項２９のいずれかに記載の照明装置（Ｓ）付きシート状案内表示物（２）。
【請求項３１】
照明装置（Ｓ）を備えた案内表示物であって、２以上のシート部材（１０）からなり、前記シート部材（１０）は、全部又は一部を表示可能領域（１１）とする可撓性を有するシート状であり、該２以上のシート部材（１０）の内、２のシート部材（１０）において、該２のシート部材（１０）の内１のシート部材（１０）をシート部材Ａ（８９）とし、他のシート部材（１０）をシート部材Ｂ（８８）とし、該シート部材Ａ（８９）に照明装置（Ｓ）の照明支持補助部材（３５）を設け、該照明装置（Ｓ）の照明支持補助部材（３５）に照明装置（Ｓ）を設け、該照明装置（Ｓ）を挟んで、シート部材Ｂ（８８）が設けられたことを特徴とする照明装置（Ｓ）付きシート状案内表示物（２）。
【請求項３２】
前記照明装置（Ｓ）付きシート状案内表示物（２）において、上側開口辺（２７）あるいは下側開口辺（２８）に照明装置（Ｓ）の照明支持補助部材（３５）を設けたことを特徴とした請求項２０から請求項３１に記載の照明装置（Ｓ）付きシート状案内表示物（２）。
【請求項３３】
前記２以上のシート部材（１０）の内、１以上が、板状部材であることを特徴とする請求項２９から請求項３２に記載の照明装置（Ｓ）付きシート状案内表示物（２）
【請求項３４】
照明装置（Ｓ）を備えた案内表示物であって、シート部材（１０）は、スリット（２０）及び照明装置（Ｓ）を設ける構成から成り、前記シート部材（１０）は、全部又は一部を表示可能領域（１１）とする可撓性を有するシート状であり、前記スリット（２０）は、前記シート部材（１０）の表示可能領域（１１）側に照明装置（Ｓ）を突き出す照明突出穴となり、該照明突出穴に設けられた照明装置（Ｓ）を突出照明装置（Ｓ）とし、前記シート部材（１０）が、該突出照明装置（Ｓ）を備えたことを特徴とする照明装置（Ｓ）付きシート状案内表示物（２）。
【請求項３５】
照明装置（Ｓ）を備えた案内表示物であって、前記突出照明装置（Ｓ）あるいはスリット（２０）照明装置（Ｓ）のスリット（２０）からの飛び出し量の調整が可能であることを特徴とする請求項２０から請求項３４のいずれかに記載の照明装置（Ｓ）付きシート状案内表示物（２）。
【請求項３６】
前記突出照明装置（Ｓ）あるいはスリット（２０）照明装置（Ｓ）を備えた案内表示物であって、前記シート部材（１０）が１以上の構成からなり、前記シート部材（１０）は、１以上の構成では湾曲あるいは、屈曲されていることにより、あるいは、２以上の構成では前記シート部材（１０）の一辺が係止されていることにより、２方向以上に表示可能な該シート部材（１０）が１以上のスリット（２０）を設け、１以上の前記突出照明装置（Ｓ）あるいはスリット（２０）照明装置（Ｓ）を設け、２方向以上に表示可能であることを特徴とする請求項２０から請求項３５のいずれかに記載の照明装置（Ｓ）付きシート状案内表示物（２）。
【請求項３７】
前記２方向以上に表示可能である照明装置（Ｓ）付きシート状案内表示物において、重複した２のシート部材（１０）の裏側に、前記１以上の照明装置（Ｓ）が装着されているか、または、該重複した２のシート部材（１０）の間に設けられた前記照明支持補助部材（３５）を介して、前記照明装置（Ｓ）が装着されていることを特徴とした請求項３６に記載の照明装置（Ｓ）付きシート状案内表示物
【請求項３８】
照明装置（Ｓ）を備えた案内表示物であって、前記スリット（２０）が、曲線または折れ線であることを特徴とする請求項２０から請求項３７のいずれかに記載の照明装置（Ｓ）付きシート状案内表示物（２）。
【請求項３９】
照明装置（Ｓ）を備えた案内表示物であって、前記スリット（２０）が、ファスナー（７０）または面ファスナー（７０）で設けられたことを特徴とする請求項２０から請求項３８のいずれかに記載の照明装置（Ｓ）付きシート状案内表示物（２）。
【発明の詳細な説明】
【技術分野】
【０００１】
本発明は、被掲示物の形状に影響を受けない表示物の照明方法に関し、詳しくは、可撓性を有するシート状案内表示物を用い、その表面に宣伝や案内などの表示を可能とするとともに、照明装置を用いて照らす機能をも併せ持つことを特徴とする、宣伝広告等の照明装置付きシート状案内表示物及びその製造方法の技術に関する。
【背景技術】
【０００２】
従来から看板には、木製や金属製といった平坦な表面に社名や広告等を表示するものがあり、近年においては電子技術の発達に伴い、大型液晶やＬＥＤモニター等へ広告情報がデジタル表示されものも登場している。係る電子的な表示技術では、表示内容を自由に変更できるという特徴があり、書き直すことが難しい看板等の表示物と比較すると優れた広告媒体といえる。また、簡易的な看板の表示部材として、イーゼルスタンド型のボードに広告やメニューを記載する方法や、伝統的な宣伝方法として、布状物に染色によって表示する暖簾やのぼりを用いた方法も存在する。
【０００３】
また、有機ＥＬに代表されるような可撓性のある電子的な表示技術を持った電子画像も出てきており、その軽量化及び薄さと合わせて、ＥＬ看板に代表されるような可撓性のある看板の普及への需要が高まりつつある。
【０００４】
このように看板としての表示物は多種多様なものが存在している。しかしながら、表示物自体に当初から装飾機能を備えたものは皆無といえ、また、電柱や箱状の掲示対象物の形状に対応して変形が可能であり、且つ表示機能を損なわず、自由でお洒落な装飾、照明機能を発揮できるシート状表示物は現状において見当たらない。
【０００５】
このような現状下においても、看板としての表示物に、外から照明で表示部を照らすという従来の方法があり、また、最近では、光の透過性の比較的高い生地や塗料を使用して看板や案内板を背面から明るくしたり、電子表示器にて表示部を明るくするという手法が存在する。従って、当初から照明効果を発揮できる機能を備えた新たなシート状表示物の技術の提案が求められているとともに、既に使用されている看板においても、宣伝効果を後発的に発揮できる表示物へ変更可能な技術が求められている。
【０００６】
このような現状に鑑み、本発明者以外にも従来から種々の技術が提案されている。
例えば、特許文献１には、発明の名称を「切り文字電飾看板」とする技術が開示され、公知技術となっている（特許文献１参照）。
具体的には、切り文字を照明器具を用いて照らし出す技術に関するものである。しかしながら、特許文献１に記載の発明は、可撓性シートの照明に関する課題の解決については至っていないものである。
【０００７】
また、特許文献２には、発明の名称を「後部照明による看板装置」とする技術が開示され、公知技術となっている（特許文献２参照）。
具体的には、インクによる印刷あるいはフィルムを貼り付けて立体的な印象を有する看板を製造する、である。しかしながら、係る発明は、背面からの光による透過や、その形状に加工された文字等の輪郭を光で表すものであり、光伝導性の材料を使用する等、特許文献１に記載の発明は、本願発明に関する課題の解決については触れていないものである。
【先行技術文献】
【特許文献】
【０００８】
【特許文献１】特開２０００−３２０８５１号
【特許文献２】特願２００２‐１３０９７９
【発明の概要】
【発明が解決しようとする課題】
【０００９】
より手軽に、軽量で、コストメリットのある看板装飾であるシート状看板において、その広告、案内効果を高める為に、その特定の文字や内容を強調してアピールする為に、自由に、任意の部分を明るくして照らし強調する照明装置付きシート状案内表示物の製造方法に関する技術提供を課題とするものである。
【課題を解決するための手段】
【００１０】
本発明は、照明装置付きシート状案内表示物を製造する方法であって、シート状案内表示物に、スリットを設ける構成から成り、該シート部材の裏側に、照明装置が設けられ、前記シート部材は、全部又は一部を表示可能領域とする可撓性を有するシート状であり、前記スリットは、前記シート部材の表示可能領域側に照明装置からの光が裏側から通過する光通過穴となり、前記シート部材の任意の特定の位置に少なくとも１以上を設けられたスリットの穴であり、前記照明装置から該スリットを通過する手段を採用する。
【００１１】
また、本発明は、シート部材は、スリットと開口保持部材を設ける構成から成り、係るシート部材の裏側あるいは、裏側の側方あるいは上下方部に、照明装置が設けられ、前記シート部材１０の任意の位置に少なくとも１以上を設けられたスリットの穴であり、前記開口保持部材は前記任意の位置に設けられたスリット位置に設けられ、前記スリットを前記シート部材の略面直方向に開口させた面直開口部を保持する開口保持部材を設ける手段を採用することもできる。
【００１２】
また、本発明は、前記スリットが、断続的に設けられた手段を採用することもできる。
【００１３】
また、本発明は、前記照明装置がスリット部に設けられた、スリット照明装置を設けた手段を採用することもできる。
【００１４】
また、本発明は、前記スリット照明装置が、スリット部に設けられており、且つ、前記スリットを前記シート部材の略面直方向に開口させた面直開口部を保持する開口保持部材でもあるという手段を採用することもできる。
【００１５】
また、本発明は、前記スリット照明装置が、前記シート部材に貼着された手段を採用することもできる。
【００１６】
また、本発明は、前記照明装置が支持材に設けられた手段を採用することもできる。
【００１７】
また、本発明は、前記面直開口部において、面直開口部の上側の開口辺を上側開口辺、下側の開口辺を下側開口辺とし、下側開口辺側の前記シート部材に、照明支持補助部材が設けられ、前記スリット照明装置が、該照明支持補助部材に設けられた手段を採用することもできる。
【００１８】
また、本発明は、前記面直開口部において、前記上側開口辺または前記下側開口辺の内側に、照明を反射させる照明反射加工部が設けられた手段を採用することもできる。
【００１９】
また、本発明は、前記照明装置付きシート状案内表示物が２以上のシート部材からなり、前記面直開口部が、２以上のシート部材によって形成されているという手段を採用することもできる。
【００２０】
また、本発明は、前記面直開口部が、２以上のシート部材によって形成され、該２以上のシート部材の内、２のシート部材の、該２のシート部材の内、１のシート部材をシート部材Ａ、他方の１のシート部材をシート部材Ｂとして、シート部材Ａが前記下側開口辺を形成し、シート部材Ｂが上側開口辺を形成し、照明装置が、上側開口辺の内側に設けられている手段を採用することもできる。
【００２１】
また本発明は、２以上のシート部材の内、２のシート部材において、該２のシート部材の内１のシート部材をシート部材Ａとし、他のシート部材をシート部材Ｂとし、該シート部材Ａに照明装置の照明支持補助部材を設け、該照明装置の照明支持補助部材に照明装置を設け、該照明装置を挟んで、シート部材Ｂが設けられた手段を採用することもできる。
【００２２】
また、本発明は、前記２以上のシート部材の内、１以上が、板状部材であるという手段を採用することもできる。
【００２３】
また、本発明は、前記スリットは、前記シート部材の表示可能領域側に照明装置を突き出す照明突出穴となり、該照明突出穴に設けられた照明装置を突出照明装置とし、前記シート部材が、該突出照明装置を備えた手段を採用することもできる。
【００２４】
また、本発明は、前記突出照明装置あるいはスリット照明装置のスリットからの飛び出し量の調整が可能であるという手段を採用することもできる。
【００２５】
また、本発明は、前記シート部材は、１以上の構成では湾曲あるいは、屈曲されていることにより、あるいは、２以上の構成では前記シート部材の一辺が係止されていることにより、２方向以上に表示可能な該シート部材が１以上のスリットを設け、１以上の前記突出照明装置あるいはスリット照明装置を設け、２方向以上に表示可能であるという手段を採用することもできる。
【００２６】
また本発明は、前記重複した２のシート部材の裏側に、前記１以上の照明装置が装着されているか、または、該重複した２のシート部材の間に設けられた前記照明支持補助部材を介して、前記照明装置が装着されているという手段を採用することもできる。
【００２７】
また、本発明は、前記スリットが、前記スリットが、ファスナーまたは面ファスナーで設けられた手段を採用することもできる。
【００２８】
また、本発明は、上側開口辺あるいは下側開口辺に照明装置の照明支持補助部材を設けた手段を採用することもできる。
【００２９】
また、スリットが、曲線または折れ線であるという手段を採用することができる。
【００３０】
また、本発明は、前記何れかに記載された手段により製造される構成の表示物とすることもできる。  
【発明の効果】
【００３１】
本発明に係る照明装置付きシート状案内表示物及びその製造方法によれば、可撓性のあるシート状案内表示物の自由度の高い照明として、優れた効果を発揮するものである。
【図面の簡単な説明】
【００３２】
【図１】本発明に係る基本構成のスリットタイプを説明する構成説明図
【図２】本発明に係るスリットと開口保持部材に関わる実施例説明図
【図３】本発明に係るスリットと支持材と照明装置に関わる実施例説明図
【図４】本発明に係る面直開口部に関わる実施例説明図
【図５】本発明に係る突出照明装置に関わる実施例説明図
【図６】本発明に係る２方向以上表示に関わる実施例説明図
【図７】本発明に係る２方向以上表示に関わる実施例説明図
【図８】本発明に係る２以上のシート部材１０による面直開口部に関わる実施例説明図
【図９】本発明に係るファスナーによるスリットに関わる実施例説明図
【図１０】本発明に係るスリット形状違いの実施例説明図
【発明を実施するための形態】
【００３３】
本発明に係る照明装置Ｓ付きシート状案内表示物２の製造方法１は、表面に看板としての表示機能を有する表示物であって、シート部材１０と、該シート部材１０の表示可能領域１１の強調したい表示エリアの任意の位置へ、少なくとも１以上のスリット２０を備え、前記スリット２０は、前記シート部材１０に照明装置Ｓを挿通させる際に開口する光通過穴２１となり、前記シート部材１０の任意の位置に任意のサイズで少なくとも１以上を設けられたスリット２０の穴であり、その裏面には照明装置Ｓを設けることにより、前記シート部材１０のスリット２０を通過した照明光によって、看板を装飾、照明することを最大の特徴とするものである。つまりは、照明装置Ｓあるいは照明装置Ｓの配線が表示部に被って、表示部の外観を損なう、あるいは、邪魔をせずに、しかも、強調したい内容の部分をより強調可能に、案内表示物に照明を用いる構成である。また、強調したい部分をピンポイントで照明できるので、省エネにもなるし、照明で、様々な模様、例えば、七色の光の縞模様等で照明をする構成等、照明の自由度も高まる。以下、図面に基づいて本発明を説明する。
【００３４】
図１は、本発明に係る照明装置Ｓ付きシート状案内表示物２の製造方法１の基本構成を説明する構成説明図である。
図１（ａ）、図１（ｃ）は、本発明に係る照明装置Ｓ付きシート状案内表示物２の平面図であり、図１（ｂ）、図１（ｄ）、図１（ｅ）は、断面図である。
図１に示す通り、本発明に係る照明装置Ｓ付きシート状案内表示物２の製造方法１により製造され、又は製造されるシート状案内表示物の表示物は、案内板や看板と同様な表示可能領域１１を有する表示物に、少なくとも１以上のスリット２０を設け、
該スリット２０に対応する位置に照明装置Ｓを備える方法により、看板や案内板としての機能を損なわない任意の強調したい位置に、装飾機能を発揮させる構成であることを示している。
【００３５】
また、シート部材１０は、切り込み可能のシート部材であれば、特に限定されるものではなく、また、該スリット２０は、後から設けても良いし、あらかじめシート部材の製造段階で設けても良い。使用用途によっては、耐水性や強度に優れた素材で背面等を保護されることが望ましい。
【００３６】
表示可能領域１１は、シート部材１０の表面に広告等の情報を表示する部分であり、基本的な構成としてはシート部材１０の表示側全面をその領域とすることとなる。
スリット２０は、シート部材１０に設けられる光通過穴２１であって、図１（ａ）においては、シート部材１０に設けられたスリット２０は、各文字上に断続的に破線状に設けられており、係るスリット２０の背面には、図１（ｂ）のように、照明装置Ｓが設けられており、係る照明装置Ｓに設けられた発光部１９から発光された照明光が、シート部材１０に設けられたスリット２０を通過して係る文字を光で目立たせる仕様となっている。また、係るスリット２０は、縦一列に設けているが、任意で複数列にして、より、文字自体が光を放ち、目立つ様な構成にすることもできる。
【００３７】
係る照明の色を変えても良い。例えば、文字の形状等にくり抜いては、シート部材の背面が見えてしまうし、大きく開口してしまうとシートの強度も落ちるし、その形状によっては、文字の付近が垂れる等の問題が発生する。また、シート背面からの照明光が直接目に入り、眩しすぎるケースも出てくる。また、光の回折現象により、光の強度を柔らかくできるとともに、光の回折により、スリット２０の入った部分の表示自体にも光が柔らかく届くこととなる。
【００３８】
図１（ｃ）は、文字部に斜めに断続的にスリット２０が設けられた実施例であり、図１（ｄ）の様に背面に照明装置Ｓが設けられている。
本実施例においては、より、文字に幅を持たせて文字部を明るく目立たせることが可能な構成となる。図１（ｅ）は、シート部材に設けられたスリット２０部に合わせて、照明装置Ｓを密着させて設けた実施例であり、あるいは、装着しても良い。
【００３９】
なお、スリット２０の配置構成は任意に配置することができ、多数配置することも可能であるし、必要となる箇所のみに設けることも可能である。
係る照明装置Ｓの数、大きさ、或いは形状については特に特定した場合を除き限定されるものではない。
また、係る照明装置Ｓの保持構造はその種類を問わず、紐でもボルトナットでも磁石３９でも面ファスナーでもリングでも筒状部材でも紐でも面ファスナー７０でも針金でも粘着テープでも輪ゴムでもリベットでもステープラでも縫製でも融着でも固着でも、引掛けでも、多穴の網状部材の使用でも、照明装置Ｓを保持可能な部材、方法であればその種類は問わない。
【００４０】
図２は、本発明に係る照明装置Ｓ付きシート状案内表示物２のスリット２０部の断面図である。
図２（ａ）は、スリット２０を表示部材１０の略面直方向に開口し、開口部正面からの断面図であり、スリット２０を係る略面直方向に開口させた面直開口部を保持する開口保持部材２９を、開口端部に設けた実施例である。尚、係る開口保持部材２９は、その形状は丸でも、多角形でもよく、また、色についても、黒でも、透明でもよく、また、開口を保持する位置も、端でも真ん中でも、全体的に支持する構造でも良く、その他、本発明の技術的思想の範囲内、即ち、同一の作用効果を発揮できる範囲内で変更することができるものである。
【００４１】
図２（ｂ）は、図２（ａ）の実施例のスリット２０に対しての横断面図に対して、右下部より照明装置Ｓによってスリット２０部から表示可能領域１１に対して、照明光で照らしている実施例であり、照明装置Ｓの発光部１９より発せられた照明光は、照明反射加工部２６と反射した照明光と合わせて、表示可能領域１１の表示部を照らす構成の実施例である。
係る照明反射加工部２６は、本実施例においては、係る面直開口部上側の開口辺を上側開口辺２７とし、下側の開口辺を下側開口辺２８とし、上側開口辺２７のシート部材１０の裏側に装着されている。
【００４２】
図２（ｃ）は、平行なスリット２０の外側を照明で照らす実施例で図２（ｄ）はその断面図である。
平行に設けられたスリット２０に対して、お互いのスリット２０を架け渡す様にして設けられている開口保持部材２９によって、平行な２のスリット２０の開口部を保持している実施例である。これらの２の平行なスリット２０の裏側の内側と外側に、対向するようにして設けられた照明装置Ｓの発光部１９からの光が、照明反射加工部２６に反射しながら、スリット２０の両外部の表示可能領域１１の表示部を照らす構成となっている。
【００４３】
尚、係る反射加工部の加工方法は、照明装置Ｓからの照明光を反射させる加工部であり、その加工方法は、例えば、アルミニウムのような金属や反射板を装着しても良いし、白系や反射性の塗料を塗布しても良いし、その他、本発明の技術的思想の範囲内、即ち、同一の作用効果を発揮できる範囲内で変更することができるものである。
【００４４】
図３は、網部と枠体から構成される支持材２３に、照明装置Ｓが設けられており、係る支持材２３に係止されるシート部材１０の実施例であり、係るシート部材１０には、表示の文字が記載されており、係る文字をピンポイントで明るくする為のスリット２０が、上から縦方向に４本、横方向に３本、縦方向に２本、横方向に５本、横方向に６本設けられている。上の縦方向に４本、横方向に３本のスリット２０が、それぞれ「Ｘ・Ｙ・Ｚ」の文字付近の重点照明エリア３８を照らす、支持材２３に設けられた照明装置Ｓからの照明光の、光通過穴２１となり、同様に、その下の「お買い得商品！！」、及びその下の文字文をそれぞれのスリット２０からの照明光が照らす構成となっている。
係る文字部の明るさの調整は、支持材２３の網部に設けられた照明装置Ｓの位置や数量を変えることによっても調整可能であるし、スリット２０の数を増やしても良いし、スリット２０の幅や開量を増やしても良いし、反射板のサイズや材質を変えても良い。
また、係る照明装置Ｓの設置方法は、網部への設置でも良いし、磁石でも良いし、上から吊設でも良いし、シート部材への装着でも良いし、ボルトで留めても良いし、面ファスナー７０で留めても良いし、その他、本発明の技術的思想の範囲内、即ち、同一の作用効果を発揮できる範囲内で変更することができるものである。
【００４５】
図４は、シート部材に設けられたスリット２０部の裏側に、照明装置Ｓが設けられたスリット２０照明装置Ｓの実施例である。図４（ａ）は、それぞれ「Ｘ・Ｙ・Ｚ」の文字付近の重点照明エリア３８を照らす、照明装置Ｓがそれぞれの文字の上下及び文字列の左右に設けられている。係る仕様によれば、各文字をピンポイントで、且つ、表示部を邪魔せず照らすことができる為、各表示部を際立たせることが可能な構成であり、有用である。また、例えば、各スリット２０に設けられた照明の色を変えることも可能であるので、文字毎に照明の色を変えることも可能である。例えば、左を赤、右を黄色とすれば、左右からの各色の光が混ざり、左から右に、赤から、オレンジ、黄色と係る文字列において、色の変化を作り出すこともできるし、そこに、上からと下からを、他の色の照明とすることによって、更に多彩なこの文字列内における色の変化のある照明を作り出すことが可能となる。
また、ここに、更に図１の実施例のスリット２０タイプの照明を合わせると、更に多彩な照明の光の装飾が可能となる。
【００４６】
図４（ｂ）は、図４（ａ）の係る仕様のスリット２０部の、正面からの実施例である。開口保持部材２９によって開口されたスリット２０部に設けられた照明装置Ｓによって、表示可能領域１１を照らす実施例である。
【００４７】
図４（ｃ）は、開口保持部材２９によって開口された面直開口部の上側開口辺２７の裏側に照明装置Ｓが装着され、係る照明装置Ｓの前部に、照明反射加工部２６が設けられた構造の実施例である。本実施例においては、照明装置Ｓが上側開口辺２７のやや奥まった部分に装着されている為、外側から係るシート部材１０を眺めた際に、スリット２０からの光が、直接人の眼に入り難く、眩しさを軽減させるとともに、照明反射加工部２６によって、より効率良く表示可能領域１１を照らす構成である。また、係る開口保持部材２９は、係る照明装置Ｓと一体となっていても良い。
【００４８】
図４（ｄ）は、照明装置Ｓ自体が、開口保持部材２９である実施例である。本実施例においては、発光部１９からの照明光が見えやすい分、看板も目立つ効果を発揮する。ただし、光量の調整等により、眩しすぎなくする工夫が必要である。
【００４９】
図４（ｅ）は、下側開口辺２８側のシート部材に、照明支持補助部材３５が設けられ、照明装置Ｓが、該照明支持補助部材３５に設けられたことを特徴とする。これにより、スリット２０照明装置Ｓに合わせた開口量幅とすることができ、また、開口部から、少し奥まった部分にスリット２０照明装置Ｓを設ける等の自由度も増し、開口部を安定させることができる。尚、図４（ｅ）においての照明支持補助部材３５は、係るスリット２０照明装置Ｓの背面では開口となっているが、図面には示していないが、係る背面部でもシート部材１０と装着させることにより、より安定して係るスリット２０照明装置Ｓを保持することができる構成となる。
【００５０】
図４（ｆ）は、シート部材１０が、支持材２３に装着、あるいは密着した状態で、スリット２０照明装置Ｓがシート部材１０の上側開口辺２７側に密着または装着された構成の実施例である。支持材２３にも装着されていても良い。
尚、照明装置Ｓの装着や、密着、係止の方法は、粘着テープ、磁石、接着剤、面ファスナー７０、引掛け、ネジ、リベット、その他、本発明の技術的思想の範囲内、即ち、同一の作用効果を発揮できる範囲内で変更することができるものである。
【００５１】
図５は、照明装置Ｓがシート部材１０から直接突き出したタイプの突出照明装置Ｓ５９の実施例であり、その突き出し量によって、照明の明るさや、照明の広さ、また、シート部材の裏側からも同時に照明できる構成である。図５（ａ）は、係る突出照明装置Ｓ５９の実施例であり、例えば、各文字の中央付近等の任意の位置に係る突出照明装置Ｓ５９を設けることにより、係る突出照明装置Ｓ５９を中心とした重点照明エリア３８を照らすことが可能である。但し、係る重点照明エリア３８は、突出照明装置Ｓ５９の発光部１９の装備方向によっても変わってくるので、係る照明器具の特性と必要な重点照明エリア３８によって、突出照明装置Ｓ５９の設置位置、方向は自由に配置可能である。また、任意で係る突出照明装置Ｓ５９の天頂部は、周囲の色と同系色にして目立たなくすることが望ましい。
【００５２】
図５（ｂ）及び図５（ｃ）は、それぞれ、突出照明装置Ｓ５９の飛び出し量違いを表しており、例えば、図５（ｂ）の様に飛び出し量が低い場合は、シート部材１０の表示可能領域１１側の明るさを抑えながら、シート部材１０の材質にもよるが、シート部材１０の裏側からのぼやけたような柔らかい照明を醸し出すことができ、突き出し量を高くしていくにしたがって、より明るく、より広いエリアを明るくしていくことが可能となる。
あるいは、係る突出照明装置Ｓ５９に設けられている発光部１９の色を変えることによって、例えば、図５（ｃ）の上３つの発光部１９を黄色にし、その下３つの発光部１９を、青にすると、突き出し量を増やしていくことによって、黄色い照明から、青い照明が入ってきて緑の混ざった色にしていくようなバリエーションが可能である。
【００５３】
また、図５（ｄ）の様に、係る突出照明装置Ｓ５９の傍に面直開口部を設けることによって、上からは黄色い照明で、下側の青い照明光が、面直開口部から、表示可能領域１１に入光することによって、係る面直開口部のスリット２０から、違った色彩の光で表示可能領域１１を照明することが可能となり、例えば、違った色で縞模様的に照明する構成もできる。
【００５４】
また、図５（ｅ）は、突出照明装置Ｓ５９の天頂部に、遮光傘５６を設けた実施例であり、係る遮光傘５６の下には反射加工を設けても良く、大きさは、周囲の表示部を邪魔しない程度のものが望ましく、光が直接眼に入るのを防いでいる。また、係る突出照明装置Ｓ５９は、照明支持補助部材３５でシート部材１０に設けられており、例えば、ハトメでも良いし、ゴム製のパッキンのようなものでも、貼着でも、面ファスナー７０、ファスナー７０、磁石その他、本発明の技術的思想の範囲内、即ち、同一の作用効果を発揮できる範囲内で変更することができるものである。また、裏面に、他の部材と係る照明装置Ｓを保持可能な照明保持部材を設けても良い。係る照明保持部材は、網部のような多くの穴を備えた多穴部材３６でも良いし、紐でも、磁石でも、ゴム部材の穴に刺しても、筒状体の部材に挿入しても良く、その他、本発明の技術的思想の範囲内、即ち、同一の作用効果を発揮できる範囲内で変更することができるものである。
【００５５】
図６は、シート部材１０が、２方向以上に表示可能であり、１以上のスリット２０を備え、１以上の照明装置Ｓを設けた実施例である。
図６（ａ）は、シート部材１０の表示可能領域１１の案内表示が、上部で背合わせに支持材２３に係止され、両面に設けられており、両面に案内表示のある実施例である。尚、図面には、手前側の案内表示のみが見えている状態であり、向こう側にも、もう一枚の案内表示のあるシート部材１０が背合わせで設けられている。手前側のシート部材１０には、複数のスリット２０が設けられており、「ＸＹＺ」を囲うように斜めに４か所と、左下側に縦方向のスリット２０が５か所、右下側に逆Ｕの字型に１か所のスリット２０が設けられており、それぞれのスリット２０に、重点照明エリア３８を照らす様に、スリット２０照明装置Ｓが設けられている。また、「ＸＹＺ」部の２か所には、突出照明装置Ｓ５９が２か所設けられている実施例であり、これらの照明を組み合わせることにより、より効果的な照明装置Ｓ付きシート状案内表示物２の照明の構成となる。
尚、本実施例においては、上部で背中合わせに支持材２３に係止されることによって２方向以上に表示を向けているが、２方向以上への表示方向を向ける構造は、折り曲げによるものでも、湾曲によるものでも良い。
【００５６】
図６（ｂ）から図６（ｆ）は、それぞれ、係る背合わせで表示可能領域１１を備えたシート部材１０へスリット２０照明装置Ｓを設けた実施例である。
図６（ｂ）は、表裏のシート部材１０の表示可能領域１１を照らす２つのスリット２０照明装置Ｓが照明支持補助部材３５を挟んで、それぞれの上側開口辺２７部に装着されており、係る照明支持補助部材３５は、それぞれの下側開口辺２８部に挟まれて装着され、また、スリット２０照明装置Ｓの後方でも、上下のシート部材１０に挟まれて装着されることによって、スリット２０照明装置Ｓの位置を保持している実施例である。
【００５７】
図６（ｃ）は、図６（ｂ）の実施例において、照明方向が表裏で反対側を向いている実施例である。
図６（ｄ）は、図６（ｂ）の実施例において、照明支持補助部材３５を用いない実施例である。スリット２０照明装置Ｓは、表側と裏側の上側開口辺２７部に装着されている実施例である。
図６（ｅ）は、照明支持補助部材３５が、表裏それぞれに設けられた実施例である。
図６（ｆ）も、図６（ｄ）同様、照明支持保持部材を用いない実施例である。
何れの実施例のバリエーションにおいても、表裏反対方向の表示における照明が可能であり、この他にも、本発明の技術的思想の範囲内、即ち、同一の作用効果を発揮できる範囲内で変更することができるものである。
【００５８】
２つのシート部材１０が２方向に背合わせで表示可能領域１１を設けた実施例については、例えば、のぼりなどは、通常１枚の生地に広告、案内を印刷して掲げているものが通常である。しかし、そうしたのぼりにおいても、強調したい文字等を自由に照明で部分的に強調することによって、夜間でも、よりその部分に人目を引き広告、案内効果を高めることができる。２重構造にすることによって、表示部を邪魔せず内側に配線や照明装置Ｓを極力隠すこともでき、左右で別の内容の広告、案内を出せ、且つ、挟まれた一つの装飾物保持部材３０にて両方を装飾でき、有用である。
【００５９】
また、のれんなども、同様に光で装飾し、屋号や看板、案内等を装飾すれば、気持ちよくお客様に、表裏から通られるので、入出店時、お客様に楽しんでもらえる。
本実施例においては、表示方向は２方向であるが、３方向以上の多方向でも良い。
【００６０】
尚、係る照明支持補助部材３５は、係るスリット２０及びスリット２０照明装置Ｓ周辺だけでも良いし、シート部材の裏面部を全面的にカバーできるようにしても良い。
照明支持補助部材３５は、可撓性のあるシートでも、網状でも、マグネットシートでも、あるいは、金属や樹脂や木の板状材でも良く、その他、本発明の技術的思想の範囲内、即ち、同一の作用効果を発揮できる範囲内で変更することができるものである。
【００６１】
図７の異なる方向へ表示される実施例において、図７（ａ）は、開口保持部材２９で開口部を保持されたスリット２０を設けた２枚の異なる方向に表示する様に設けられたシート部材の間に、照明装置Ｓが設けられた実施例である。係る実施例によれば、例えば、日替わりでシート部材を変えることも可能であり、汎用性があり、有用である。
【００６２】
図７（ｂ）及び図７（ｃ）は、シート部材を湾曲した実施例である。
また、図７（ｂ）がシート部材１０を丸く円筒状に湾曲した中に支持材２３を設けた実施例であり、行き交う人に、スポット的な自由度の高い照明で、夜でも、３６０度から人の目を引き、広告、案内効果を高めることができ、有用である。
【００６３】
図７（ｃ）は、シート部材１０を円錐台筒状にした中に、支持材２３を設けた実施例である。係る実施例によれば、例えば、行き交う人々の目線より低い、あるいは高い位置に広告物や案内を設置する場合に、より目線に合う角度にシート部材の表示面を合わせて周囲全方向から見てもらいやすくなる。例えば、デパートやスーパーの天井等に設置すれば有用である。可撓性のあるシート状の軽さと、曲面性を利用した仕様である。また、これは、角錘台筒状でも良い。
【００６４】
係る照明装置Ｓは、支持材２３から吊設されても良いし、網などの多穴部材３６に引掛け、係止、ネジ、装着、クリップ、でも、磁石、面ファスナー７０、紐などその他、本発明の技術的思想の範囲内、即ち、同一の作用効果を発揮できる範囲内で変更することができるものである。
【００６５】
図８は、２以上のシート部材によって面直開口部を構成する実施例である。
図８（ａ）においては、２のシート部材であるシート部材Ａ８９と異形形状のシート部材Ｂ８８からなり、シート部材Ｂ８８が上側開口辺２７を形成し、シート部材Ａ８９が下側開口辺２８を形成し、それぞれのシート部材に挟まれるようにして、照明装置Ｓが上側開口辺２７部に設けられている構成の実施例である。
【００６６】
係る実施例においては、面直開口部を２枚のシート部材を重複して構成することによって、シート部材の強度が低下することなく、より広いエリアに面直開口部を設けることができ、シート部材の係る照明装置Ｓ付きシート状案内表示物２の自由度が高まる構成とすることができる。
【００６７】
図９は、面直開口部を、ファスナー７０の開閉によって構成された実施例である。係る実施例によると、ファスナー７０に設けられたファスナー７０スライダー７１を移動することにより、面直開口部を作り、係る面直開口部に、照明装置Ｓあるいは、開口保持部材２９を設けて係るスリット２０から照明光を照らすことができる構成となっている。係る仕様によれば、面直開口部のサイズを、自由に変えることができる為、より自由度の高い光量の調整が可能となり、係る開口部を開けて、前から照明装置Ｓを交換することも可能となり、例えば、日替わりで、照明の色を変えたりすることも容易にできる。また、複数のファスナー７０スライダー７１を設けると、複数の面直開口部を、好きなところに作り出すことができるので、更に、照明の自由度が高くなる。
ファスナー７０は、一般に衣服等に使用されている金属製又は樹脂製の開閉部材として用いられているものを利用すればよく、特に種類や構造等について限定されるものではなく、スライダー７１を移動することで布状の部材を分割・結合・部分開口等できるものであればよい。
【００６８】
また、図１０の様にスリット２０を例えばコの字形状に入れることによって、窓の様に開閉可能となる為、より広いスリット２０から、より強い光量、多くのバリエーションで照明装置Ｓを配置可能で、また必要に応じて開口量の調整がより広くなり、また、コの字周辺からも、照明装置Ｓを出す様にでき、つまり、図６にも示されているように、強調したい文字等の周辺から囲うように強調でき、且つ、照明装置Ｓを入れない時は、窓を閉じて開口部を閉じることができる。
【００６９】
本実施例においては、スリット２０形状は、一の字、コの字、エの字、Ｕの字形状等であるが、その他、波型、Ｖ字、Ｗ字、Ｔ字、Ｙ字等、その他、本発明の技術的思想の範囲内、即ち、同一の作用効果を発揮できる範囲内で変更することができるものである。また、必要に応じてスリット２０には任意の幅を持たせることも可能である。
【００７０】
上記各図面における各図実施例においては、例えば、のぼり広告のようなシート製の広告においても、しっかりと狙った部分に照明を当てることができる。こうしたシート製の広告においては、のぼり広告の様に、風で方向も変わるし、なびいて動く為、狙ったところにスポットで照明を当てるのが難しいといった問題点があったが、こうした課題にも、有用である。
【００７１】
尚、上記各図面における照明装置Ｓは、ＬＥＤ(発光ダイオード)でもＥＬ(エレクトロルミネセンス)でも白熱灯でもその他、本発明の技術的思想の範囲内、即ち、同一の作用効果を発揮できる範囲内で変更することができるものである。
【００７２】
また、照明装置Ｓの支持構造は、シート部材または、照明支持補助部材３５への貼付、吊り下げ、引掛け、磁石、穴への挿入、ネジ止め、紐による結束、面ファスナー７０、網等の多穴部材３６係止、ゴムへの差し込みや挟持、クリップ、リベット、針金、輪ゴム、ステープラ等、照明装置Ｓを保持可能な部材、方法であればその種類は問わない。
【００７３】
シート部材１０は、可撓性を有したシート状であれば特に限定されるものではなく、布製、ビニール製、紙製、グラスファイバー製、カーボン製等の材質、透明、不透明或いは色彩なども限定されるものではない。
【産業上の利用可能性】
【００７４】
本発明は、従来できなかった新たな看板の照明機能が発揮でき、飲食店や各種イベントの看板や案内として広く利用でき、看板や案内の強調したい部分を、光による強調の自由度が高く、個性を発揮することを可能とする魅力的な発明品となり、産業上利用可能性は極めて高いと思慮されるものである。
【符号の説明】
【００７５】
１     照明装置付きシート状案内表示物の製造方法
２    照明装置付きシート状案内表示物
１０    シート部材１０
１１    表示可能領域
１９    発光部
２０   スリット
２１   光通過穴
２３   支持材
２６   照明反射加工部
２７   上側開口辺
２８   下側開口辺
２９   開口保持部材
３５   照明支持補助部材
３６   多穴部材
３８   重点照明エリア
５６   遮光傘
５９   突出照明装置
７０   ファスナー
７１   スライダー
８８   シート部材Ｂ
８９   シート部材Ａ
Ｓ     照明装置
【図１】
2019074615.tif 000003
【図２】
2019074615.tif 000004
【図３】
2019074615.tif 000005
【図４】
2019074615.tif 000006
【図５】
2019074615.tif 000007
【図６】
2019074615.tif 000008
【図７】
2019074615.tif 000009
【図８】
2019074615.tif 000010
【図９】
2019074615.tif 000011
【図１０】
2019074615.tif 000012
【手続補正書】
【提出日】平成30年4月12日(2018.4.12)
【手続補正１】
【補正対象書類名】特許請求の範囲
【補正対象項目名】全文
【補正方法】変更
【補正の内容】
【特許請求の範囲】
【請求項１】
照明装置（Ｓ）を備えた案内表示物を製造する方法であって、シート部材（１０）は、スリット（２０）を設ける構成から成り、該シート部材（１０）の裏側に、照明装置（Ｓ）が設けられ、前記シート部材（１０）は、全部又は一部を表示可能領域（１１）とする可撓性を有するシート状であり、前記スリット（２０）は、前記シート部材（１０）の表示可能領域（１１）側に照明装置（Ｓ）からの光が裏側から通過する光通過穴（２１）となり、前記シート部材（１０）の任意の特定の位置に少なくとも１以上を設けられたスリット（２０）の穴であり、前記照明装置（Ｓ）からの照明光が該スリット（２０）を通過することを特徴とする照明装置（Ｓ）付きシート状案内表示物の製造方法（１）。
【請求項２】
照明装置（Ｓ）を備えた案内表示物を製造する方法であって、
シート部材（１０）は、スリット（２０）と開口保持部材（２９）を設ける構成から成り、
該シート部材（１０）の裏側あるいは、裏側の側方あるいは上下方部に、照明装置（Ｓ）が設けられ、
前記シート部材（１０）は、全部又は一部を表示可能領域（１１）とする可撓性を有するシート状であり、
前記スリット（２０）は、前記シート部材（１０）の表示可能領域（１１）側に照明からの光が裏側から通過する光通過穴（２１）となり、
前記シート部材（１０）の任意の位置に少なくとも１以上を設けられたスリット（２０）の穴であり、
前記開口保持部材（２９）は前記任意の位置に設けられたスリット（２０）位置に設けられ、
前記スリット（２０）を前記シート部材（１０）の略面直方向に開口させた面直開口部を保持する開口保持部材（２９）であり、
前記光通過穴（２１）を通過した、前記照明装置（Ｓ）からの光で、表示可能領域（１１）を照らすことを特徴とする照明装置（Ｓ）付きシート状案内表示物の製造方法（１）。
【請求項３】
前記照明装置（Ｓ）付きシート状案内表示物の製造方法（１）において、前記面直開口部において、面直の上側の開口辺を上側開口辺（２７）、下側の開口辺を下側開口辺（２８）とし、前記上側開口辺（２７）または前記下側開口辺（２８）の内側に、照明を反射させる照明反射加工部（２６）が設けられたことを特徴とする請求項２に記載の照明装置（Ｓ）付きシート状案内表示物の製造方法（１）。
【請求項４】
前記照明装置（Ｓ）付きシート状案内表示物の製造方法（１）において、前記照明装置（Ｓ）付きシート状案内表示物が２以上のシート部材（１０）からなり、前記スリット（２０）を前記シート部材（１０）の略面直方向に開口させた面直開口部が、２以上のシート部材（１０）によって形成されていることを特徴とする請求項２から請求項３のいずれかに記載の照明装置（Ｓ）付きシート状案内表示物の製造方法（１）。
【請求項５】
前記２以上のシート部材（１０）からなる照明装置（Ｓ）付きシート状案内表示物の製造方法（１）において、前記スリット（２０）を前記シート部材（１０）の略面直方向に開口させた面直開口部が、２以上のシート部材（１０）によって形成され、該２以上のシート部材（１０）の内、２のシート部材（１０）において、該２のシート部材（１０）の内、１のシート部材（１０）をシート部材Ａ（８９）、他方の１のシート部材（１０）をシート部材Ｂ（８８）として、シート部材Ａ（８９）が下側開口辺（２８）を形成し、シート部材Ｂ（８８）が上側開口辺（２７）を形成し、照明装置（Ｓ）であるスリット（２０）照明装置（Ｓ）が、前記面直開口部の内側に設けられていることを特徴とする請求項４に記載の照明装置（Ｓ）付きシート状案内表示物の製造方法（１）。
【請求項６】
前記２以上のシート部材（１０）の内、１以上が、板状部材であることを特徴とする請求項４または請求項５に記載の照明装置（Ｓ）付きシート状案内表示物の製造方法（１）。 
【請求項７】
照明装置（Ｓ）付きシート状案内表示物の製造方法（１）であって、
シート部材（１０）は、スリット（２０）と開口保持部材（２９）を設け、
前記シート部材（１０）は、全部又は一部を表示可能領域（１１）とする可撓性を有するシート状であり、
前記スリット（２０）にスリット（２０）照明装置（Ｓ）が設けられ、
前記スリット（２０）は、前記シート部材（１０）の表示可能領域（１１）側に照明からの光が裏側から通過する光通過穴（２１）となり、
前記シート部材（１０）の任意の位置に少なくとも１以上を設けられたスリット（２０）の穴であり、
前記開口保持部材（２９）は前記任意の位置に設けられたスリット（２０）位置に設けられ、
前記スリット（２０）を前記シート部材（１０）の略面直方向に開口させた面直開口部を保持する開口保持部材（２９）であり、
前記光通過穴（２１）を通過した、前記照明装置（Ｓ）からの光で、表示可能領域（１１）を照らし、
前記面直開口部において、面直開口部の上側の開口辺を上側開口辺（２７）、下側の開口辺を下側開口辺（２８）とし、下側開口辺（２８）側の前記シート部材（１０）に、照明支持補助部材（３５）が設けられ、スリット（２０）照明装置（Ｓ）が、該照明支持補助部材（３５）に設けられたことを特徴とする照明装置（Ｓ）付きシート状案内表示物の製造方法（１）。 
【請求項８】
前記照明装置（Ｓ）付きシート状案内表示物の製造方法（１）において、前記照明装置（Ｓ）がスリット（２０）部に設けられた、スリット（２０）照明装置（Ｓ）を設けたことを特徴とする請求項１から請求項７のいずれかに記載の照明装置（Ｓ）付きシート状案内表示物の製造方法（１）。 
【請求項９】
前記照明装置（Ｓ）付きシート状案内表示物の製造方法（１）において、前記スリット（２０）が、断続的に設けられたことを特徴とする請求項１から請求項８のいずれかに記載の照明装置（Ｓ）付きシート状案内表示物の製造方法（１）。 
【請求項１０】
前記照明装置（Ｓ）付きシート状案内表示物の製造方法（１）において、スリット（２０）照明装置（Ｓ）が、スリット（２０）部に設けられており、且つ、前記スリット（２０）を前記シート部材（１０）の略面直方向に開口させた面直開口部を保持する開口保持部材（２９）でもあることを特徴とする請求項１から請求項９のいずれかに記載の照明装置（Ｓ）付きシート状案内表示物の製造方法（１）。
【請求項１１】
前記照明装置（Ｓ）付きシート状案内表示物の製造方法（１）において、スリット（２０）照明装置（Ｓ）が、前記シート部材（１０）に貼着されたことを特徴とする請求項１から請求項１０のいずれかに記載の照明装置（Ｓ）付きシート状案内表示物の製造方法（１）。 
【請求項１２】
前記照明装置（Ｓ）付きシート状案内表示物の製造方法（１）において、前記シート部材（１０）は支持材（２３）に設けられており、該支持材（２３）は、該シート部材（１０）の位置を保持する機能を持ち、スリット（２０）照明装置（Ｓ）が該支持材（２３）に設けられたことを特徴とする請求項１から請求項１１のいずれかに記載の照明装置（Ｓ）付きシート状案内表示物の製造方法（１）。
【請求項１３】
照明装置（Ｓ）を備えた案内表示物を製造する方法であって、シート部材（１０）は、スリット（２０）及び照明装置（Ｓ）を設ける構成から成り、前記シート部材（１０）は、全部又は一部を表示可能領域（１１）とする可撓性を有するシート状であり、前記スリット（２０）は、前記シート部材（１０）の表示可能領域（１１）側に照明装置（Ｓ）を突き出す照明突出穴となり、該照明突出穴に設けられた照明装置（Ｓ）を突出照明装置（Ｓ）とし、前記シート部材（１０）が、該突出照明装置（Ｓ）を備えたことを特徴とする照明装置（Ｓ）付きシート状案内表示物の製造方法（１）。
【請求項１４】
照明装置（Ｓ）を備えた案内表示物を製造する方法であって、前記突出照明装置（Ｓ）のスリット（２０）からの飛び出し量の調整が可能であることを特徴とする請求項１３に記載の照明装置（Ｓ）付きシート状案内表示物の製造方法（１）。
【請求項１５】
照明装置（Ｓ）を備えた案内表示物を製造する方法であって、前記シート部材（１０）が
１以上の構成からなり、前記シート部材（１０）は、１以上の構成では湾曲あるいは、屈曲されていることにより、あるいは、２以上の構成では前記シート部材（１０）の一辺が係止されていることにより、２方向以上に表示可能な該シート部材（１０）が１以上のスリット（２０）を設け、２方向以上に表示可能であることを特徴とする請求項１から請求項１４のいずれかに記載の照明装置（Ｓ）付きシート状案内表示物の製造方法（１）。
【請求項１６】
照明装置（Ｓ）を備えた案内表示物を製造する方法であって、前記スリット（２０）が、曲線または折れ線であることを特徴とする請求項１から請求項１５のいずれかに記載の照明装置（Ｓ）付きシート状案内表示物の製造方法（１）。
【請求項１７】
照明装置（Ｓ）を備えた案内表示物を製造する方法であって、前記スリット（２０）が、ファスナー（７０）または面ファスナー（７０）で設けられたことを特徴とする請求項１から請求項１６のいずれかに記載の照明装置（Ｓ）付きシート状案内表示物の製造方法（１）。 
【請求項１８】
照明装置（Ｓ）を備えた案内表示物であって、シート部材（１０）は、スリット（２０）を設ける構成から成り、該シート部材（１０）の裏側に、照明装置（Ｓ）が設けられ、前記シート部材（１０）は、全部又は一部を表示可能領域（１１）とする可撓性を有するシート状であり、前記スリット（２０）は、前記シート部材（１０）の表示可能領域（１１）側に照明装置（Ｓ）からの光が裏側から通過する光通過穴（２１）となり、前記シート部材（１０）の任意の特定の位置に少なくとも１以上を設けられたスリット（２０）の穴であり、前記照明装置（Ｓ）からの照明光が該スリット（２０）を通過することを特徴とする照明装置（Ｓ）付きシート状案内表示物（２）。
【請求項１９】
照明装置（Ｓ）を備えた案内表示物であって、シート部材（１０）は、スリット（２０）と開口保持部材（２９）を設ける構成から成り、該シート部材（１０）の裏側あるいは、裏側の側方あるいは上下方部に、照明装置（Ｓ）が設けられ、前記シート部材（１０）は、全部又は一部を表示可能領域（１１）とする可撓性を有するシート状であり、前記スリット（２０）は、前記シート部材（１０）の表示可能領域（１１）側に照明からの光が裏側から通過する光通過穴（２１）となり、前記シート部材（１０）の任意の位置に少なくとも１以上を設けられたスリット（２０）の穴であり、前記開口保持部材（２９）は前記任意の位置に設けられたスリット（２０）位置に設けられ、前記スリット（２０）を前記シート部材（１０）の略面直方向に開口させた面直開口部を保持する開口保持部材（２９）であり、前記光通過穴（２１）を通過した、前記照明装置（Ｓ）からの光で、表示可能領域（１１）を照らすことを特徴とする照明装置（Ｓ）付きシート状案内表示物（２）。 
【請求項２０】
前記照明装置（Ｓ）付きシート状案内表示物（２）において、前記面直開口部において、面直の上側の開口辺を上側開口辺（２７）、下側の開口辺を下側開口辺（２８）とし、前記上側開口辺（２７）または前記下側開口辺（２８）の内側に、照明を反射させる照明反射加工部（２６）が設けられたことを特徴とする請求項１９に記載の照明装置（Ｓ）付きシート状案内表示物（２）。
【請求項２１】
前記照明装置（Ｓ）付きシート状案内表示物（２）において、上側開口辺（２７）あるいは下側開口辺（２８）に照明装置（Ｓ）の照明支持補助部材（３５）を設けたことを特徴とした請求項１８から請求項２０のいずれかに記載の照明装置（Ｓ）付きシート状案内表示物（２）。  
【請求項２２】
前記照明装置（Ｓ）付きシート状案内表示物（２）において、前記照明装置（Ｓ）付きシート状案内表示物が２以上のシート部材（１０）からなり、前記スリット（２０）を前記シート部材（１０）の略面直方向に開口させた面直開口部が、２以上のシート部材（１０）によって形成されていることを特徴とする請求項１９から請求項２１のいずれかに記載の照明装置（Ｓ）付きシート状案内表示物（２）。
【請求項２３】
前記２以上のシート部材（１０）からなる照明装置（Ｓ）付きシート状案内表示物（２）において、前記スリット（２０）を前記シート部材（１０）の略面直方向に開口させた面直開口部が、２以上のシート部材（１０）によって形成され、該２以上のシート部材（１０）の内、２のシート部材（１０）において、該２のシート部材（１０）の内、１のシート部材（１０）をシート部材Ａ（８９）、他方の１のシート部材（１０）をシート部材Ｂ（８８）として、シート部材Ａ（８９）が下側開口辺（２８）を形成し、シート部材Ｂ（８８）が上側開口辺（２７）を形成し、照明装置（Ｓ）であるスリット（２０）照明装置（Ｓ）が、前記面直開口部の内側に設けられていることを特徴とする請求項２２に記載の照明装置（Ｓ）付きシート状案内表示物（２）。
【請求項２４】
前記２以上のシート部材（１０）の内、１以上が、板状部材であることを特徴とする請求項２２または請求項２３のいずれかに記載の照明装置（Ｓ）付きシート状案内表示物（２）
【請求項２５】
照明装置（Ｓ）付きシート状案内表示物（２）において、
シート部材（１０）は、スリット（２０）と開口保持部材（２９）を設け、
前記シート部材（１０）は、全部又は一部を表示可能領域（１１）とする可撓性を有するシート状であり、
前記スリット（２０）にスリット（２０）照明装置（Ｓ）が設けられ、
前記スリット（２０）は、前記シート部材（１０）の表示可能領域（１１）側に照明からの光が裏側から通過する光通過穴（２１）となり、
前記シート部材（１０）の任意の位置に少なくとも１以上を設けられたスリット（２０）の穴であり、
前記開口保持部材（２９）は前記任意の位置に設けられたスリット（２０）位置に設けられ、
前記スリット（２０）を前記シート部材（１０）の略面直方向に開口させた面直開口部を保持する開口保持部材（２９）であり、
前記光通過穴（２１）を通過した、前記照明装置（Ｓ）からの光で、表示可能領域（１１）を照らし、
前記面直開口部において、面直開口部の上側の開口辺を上側開口辺（２７）、下側の開口辺を下側開口辺（２８）とし、下側開口辺（２８）側の前記シート部材（１０）に、照明支持補助部材（３５）が設けられ、スリット（２０）照明装置（Ｓ）が、該照明支持補助部材（３５）に設けられたことを
特徴とする照明装置（Ｓ）付きシート状案内表示物（２）。
【請求項２６】
前記照明装置（Ｓ）付きシート状案内表示物（２）において、前記照明装置（Ｓ）がスリット（２０）部に設けられた、スリット（２０）照明装置（Ｓ）を設けたことを特徴とする請求項１８から請求項２５のいずれかに記載の照明装置（Ｓ）付きシート状案内表示物（２）。  
【請求項２７】
前記照明装置（Ｓ）付きシート状案内表示物（２）において、前記スリット（２０）が、断続的に設けられたことを特徴とする請求項１８から請求項２６のいずれかに記載の照明装置（Ｓ）付きシート状案内表示物（２）。
【請求項２８】
前記照明装置（Ｓ）付きシート状案内表示物（２）において、スリット（２０）照明装置（Ｓ）が、スリット（２０）部に設けられており、且つ、前記スリット（２０）を前記シート部材（１０）の略面直方向に開口させた面直開口部を保持する開口保持部材（２９）でもあることを特徴とする請求項１８から請求項２７のいずれかに記載の照明装置（Ｓ）付きシート状案内表示物（２）。
【請求項２９】
前記照明装置（Ｓ）付きシート状案内表示物（２）において、スリット（２０）照明装置（Ｓ）が、前記シート部材（１０）に貼着されたことを特徴とする請求項１８から請求項２８のいずれかに記載の照明装置（Ｓ）付きシート状案内表示物（２）。
【請求項３０】
前記照明装置（Ｓ）付きシート状案内表示物（２）において、前記シート部材（１０）は支持材（２３）に設けられており、該支持材（２３）は、該シート部材（１０）の位置を保持する機能を持ち、スリット（２０）照明装置（Ｓ）が該支持材（２３）に設けられたことを特徴とする請求項１８から請求項２９のいずれかに記載の照明装置（Ｓ）付きシート状案内表示物（２）。
【請求項３１】
照明装置（Ｓ）を備えた案内表示物であって、シート部材（１０）は、スリット（２０）及び照明装置（Ｓ）を設ける構成から成り、前記シート部材（１０）は、全部又は一部を表示可能領域（１１）とする可撓性を有するシート状であり、前記スリット（２０）は、前記シート部材（１０）の表示可能領域（１１）側に照明装置（Ｓ）を突き出す照明突出穴となり、該照明突出穴に設けられた照明装置（Ｓ）を突出照明装置（Ｓ）とし、前記シート部材（１０）が、該突出照明装置（Ｓ）を備えたことを特徴とする照明装置（Ｓ）付きシート状案内表示物（２）。
【請求項３２】
照明装置（Ｓ）を備えた案内表示物であって、
前記突出照明装置（Ｓ）のスリット（２０）からの飛び出し量の調整が可能であることを特徴とする
請求項３１に記載の照明装置（Ｓ）付きシート状案内表示物（２）。
【請求項３３】
照明装置（Ｓ）を備えた案内表示物であって、前記シート部材（１０）が１以上の構成からなり、前記シート部材（１０）は、１以上の構成では湾曲あるいは、屈曲されていることにより、あるいは、２以上の構成では前記シート部材（１０）の一辺が係止されていることにより、２方向以上に表示可能な該シート部材（１０）が１以上のスリット（２０）を設け、２方向以上に表示可能であることを特徴とする請求項１８から請求項３２のいずれかに記載の照明装置（Ｓ）付きシート状案内表示物（２）。
【請求項３４】
照明装置（Ｓ）を備えた案内表示物であって、前記スリット（２０）が、曲線または折れ線であることを特徴とする請求項１８から請求項３３のいずれかに記載の照明装置（Ｓ）付きシート状案内表示物（２）。
【請求項３５】
照明装置（Ｓ）を備えた案内表示物であって、前記スリット（２０）が、ファスナー（７０）または面ファスナー（７０）で設けられたことを特徴とする請求項１８から請求項３４のいずれかに記載の照明装置（Ｓ）付きシート状案内表示物（２）。 
【手続補正２】
【補正対象書類名】明細書
【補正対象項目名】０００２
【補正方法】変更
【補正の内容】
【０００２】
従来から看板には、木製や金属製といった平坦な表面に社名や広告等を表示するものがあり、近年においては電子技術の発達に伴い、大型液晶やＬＥＤモニター等へ広告情報がデジタル表示されたものも登場している。係る電子的な表示技術では、表示内容を自由に変更できるという特徴があり、書き直すことが難しい看板等の表示物と比較すると優れた広告媒体といえる。また、簡易的な看板の表示部材として、イーゼルスタンド型のボードに広告やメニューを記載する方法や、伝統的な宣伝方法として、布状物に染色によって表示する暖簾やのぼりを用いた方法も存在する。
【手続補正３】
【補正対象書類名】明細書
【補正対象項目名】０００８
【補正方法】変更
【補正の内容】
【０００８】
【特許文献１】特開２００２−１３２１９４
【特許文献２】特願２００２‐１３０９７９
【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
照明装置（Ｓ）を備えた案内表示物を製造する方法であって、シート部材（１０）は、スリット（２０）を設ける構成から成り、該シート部材（１０）の裏側に、照明装置（Ｓ）が設けられ、前記シート部材（１０）は、全部又は一部を表示可能領域（１１）とする可撓性を有するシート状であり、前記スリット（２０）は、前記シート部材（１０）の表示可能領域（１１）側に照明装置（Ｓ）からの光が裏側から通過する光通過穴（２１）となり、前記シート部材（１０）の任意の特定の位置に少なくとも１以上を設けられたスリット（２０）の穴であり、前記照明装置（Ｓ）からの照明光が該スリット（２０）を通過することを特徴とする照明装置（Ｓ）付きシート状案内表示物の製造方法（１）。
【請求項２】
照明装置（Ｓ）を備えた案内表示物を製造する方法であって、
シート部材（１０）は、スリット（２０）と開口保持部材（２９）を設ける構成から成り、
該シート部材（１０）の裏側あるいは、裏側の側方あるいは上下方部に、照明装置（Ｓ）が設けられ、
前記シート部材（１０）は、全部又は一部を表示可能領域（１１）とする可撓性を有するシート状であり、
前記スリット（２０）は、前記シート部材（１０）の表示可能領域（１１）側に照明からの光が裏側から通過する光通過穴（２１）となり、
前記シート部材（１０）の任意の位置に少なくとも１以上を設けられたスリット（２０）の穴であり、
前記開口保持部材（２９）は前記任意の位置に設けられたスリット（２０）位置に設けられ、
前記スリット（２０）を前記シート部材（１０）の略面直方向に開口させた面直開口部を保持する開口保持部材（２９）であり、
前記光通過穴（２１）を通過した、前記照明装置（Ｓ）からの光で、表示可能領域（１１）を照らすことを特徴とする照明装置（Ｓ）付きシート状案内表示物の製造方法（１）。
【請求項３】
前記面直開口部において、面直の上側の開口辺を上側開口辺（２７）、下側の開口辺を下側開口辺（２８）とし、前記上側開口辺（２７）または前記下側開口辺（２８）の内側に、照明を反射させる照明反射加工部（２６）が設けられたことを特徴とする請求項２に記載の照明装置（Ｓ）付きシート状案内表示物の製造方法（１）。
【請求項４】
前記照明装置（Ｓ）付きシート状案内表示物が２以上のシート部材（１０）からなり、前記スリット（２０）を前記シート部材（１０）の略面直方向に開口させた面直開口部が、２以上のシート部材（１０）によって形成されていることを特徴とする請求項２から請求項３のいずれかに記載の照明装置（Ｓ）付きシート状案内表示物の製造方法（１）。
【請求項５】
前記２以上のシート部材（１０）からなる照明装置（Ｓ）付きシート状案内表示物の製造方法（１）において、前記スリット（２０）を前記シート部材（１０）の略面直方向に開口させた面直開口部が、２以上のシート部材（１０）によって形成され、該２以上のシート部材（１０）の内、２のシート部材（１０）において、該２のシート部材（１０）の内、１のシート部材（１０）をシート部材Ａ（８９）、他方の１のシート部材（１０）をシート部材Ｂ（８８）として、シート部材Ａ（８９）が下側開口辺（２８）を形成し、シート部材Ｂ（８８）が上側開口辺（２７）を形成し、照明装置（Ｓ）であるスリット（２０）照明装置（Ｓ）が、前記面直開口部の内側に設けられていることを特徴とする請求項４に記載の照明装置（Ｓ）付きシート状案内表示物の製造方法（１）。
【請求項６】
前記２以上のシート部材（１０）の内、１以上が、板状部材であることを特徴とする請求項４または請求項５に記載の照明装置（Ｓ）付きシート状案内表示物の製造方法（１）。 
【請求項７】
照明装置（Ｓ）付きシート状案内表示物の製造方法（１）であって、
シート部材（１０）は、スリット（２０）と開口保持部材（２９）を設け、
前記シート部材（１０）は、全部又は一部を表示可能領域（１１）とする可撓性を有するシート状であり、
前記スリット（２０）にスリット（２０）照明装置（Ｓ）が設けられ、
前記スリット（２０）は、前記シート部材（１０）の表示可能領域（１１）側に照明からの光が裏側から通過する光通過穴（２１）となり、
前記シート部材（１０）の任意の位置に少なくとも１以上を設けられたスリット（２０）の穴であり、
前記開口保持部材（２９）は前記任意の位置に設けられたスリット（２０）位置に設けられ、
前記スリット（２０）を前記シート部材（１０）の略面直方向に開口させた面直開口部を保持する開口保持部材（２９）であり、
前記光通過穴（２１）を通過した、前記照明装置（Ｓ）からの光で、表示可能領域（１１）を照らし、
前記面直開口部において、面直開口部の上側の開口辺を上側開口辺（２７）、下側の開口辺を下側開口辺（２８）とし、下側開口辺（２８）側の前記シート部材（１０）に、照明支持補助部材（３５）が設けられ、スリット（２０）照明装置（Ｓ）が、該照明支持補助部材（３５）に設けられたことを特徴とする照明装置（Ｓ）付きシート状案内表示物の製造方法（１）。 
【請求項８】
前記面直開口部から、略開口方向に前記スリット照明装置が突き出して設けられて、表示可能領域（１１）を照らすことを特徴とする請求項４から請求項７のいずれかに記載の照明装置（Ｓ）付きシート状案内表示物の製造方法（１）。 
【請求項９】
前記照明装置（Ｓ）付きシート状案内表示物の製造方法（１）において、前記照明装置（Ｓ）がスリット（２０）部に設けられた、スリット（２０）照明装置（Ｓ）を設けたことを特徴とする請求項１から請求項７のいずれかに記載の照明装置（Ｓ）付きシート状案内表示物の製造方法（１）。 
【請求項１０】
前記照明装置（Ｓ）付きシート状案内表示物の製造方法（１）において、前記スリット（２０）が、断続的に設けられたことを特徴とする請求項１から請求項９のいずれかに記載の照明装置（Ｓ）付きシート状案内表示物の製造方法（１）。 
【請求項１１】
前記照明装置（Ｓ）付きシート状案内表示物の製造方法（１）において、スリット（２０）照明装置（Ｓ）が、スリット（２０）部に設けられており、且つ、前記スリット（２０）を前記シート部材（１０）の略面直方向に開口させた面直開口部を保持する開口保持部材（２９）でもあることを特徴とする請求項１から請求項１０のいずれかに記載の照明装置（Ｓ）付きシート状案内表示物の製造方法（１）。
【請求項１２】
前記照明装置（Ｓ）付きシート状案内表示物の製造方法（１）において、スリット（２０）照明装置（Ｓ）が、前記シート部材（１０）に貼着されたことを特徴とする請求項１から請求項１１のいずれかに記載の照明装置（Ｓ）付きシート状案内表示物の製造方法（１）。 
【請求項１３】
前記照明装置（Ｓ）付きシート状案内表示物の製造方法（１）において、前記シート部材（１０）は支持材（２３）に設けられており、該支持材（２３）は、該シート部材（１０）の位置を保持する機能を持ち、スリット（２０）照明装置（Ｓ）が該支持材（２３）に設けられたことを特徴とする請求項１から請求項１２のいずれかに記載の照明装置（Ｓ）付きシート状案内表示物の製造方法（１）。
【請求項１４】
照明装置（Ｓ）を備えた案内表示物を製造する方法であって、シート部材（１０）は、スリット（２０）及び照明装置（Ｓ）を設ける構成から成り、前記シート部材（１０）は、全部又は一部を表示可能領域（１１）とする可撓性を有するシート状であり、前記スリット（２０）は、前記シート部材（１０）の表示可能領域（１１）側に照明装置（Ｓ）を突き出す照明突出穴となり、該照明突出穴に設けられた照明装置（Ｓ）を突出照明装置（Ｓ）とし、前記シート部材（１０）が、該突出照明装置（Ｓ）を備え、
、該突出照明装置（S）が遮光傘（５６）を備え、表示可能領域（１１）を照らすことを特徴とする照明装置（Ｓ）付きシート状案内表示物の製造方法（１）。
【請求項１５】
前記シート部材（１０）が１以上の構成からなり、前記シート部材（１０）は、１以上の構成では湾曲あるいは、屈曲されていることにより、あるいは、２以上の構成では前記シート部材（１０）の一辺が係止されていることにより、２方向以上に表示可能な該シート部材（１０）が１以上のスリット（２０）を設け、２方向以上に表示可能であることを特徴とする請求項１から請求項１４のいずれかに記載の照明装置（Ｓ）付きシート状案内表示物の製造方法（１）。
【請求項１６】
前記スリット（２０）が、曲線または折れ線であることを特徴とする請求項１から請求項１５のいずれかに記載の照明装置（Ｓ）付きシート状案内表示物の製造方法（１）。
【請求項１７】
前記スリット（２０）が、ファスナー（７０）または面ファスナー（７０）で設けられたことを特徴とする請求項１から請求項１６のいずれかに記載の照明装置（Ｓ）付きシート状案内表示物の製造方法（１）。 
【請求項１８】
照明装置（Ｓ）を備えた案内表示物であって、シート部材（１０）は、スリット（２０）を設ける構成から成り、該シート部材（１０）の裏側に、照明装置（Ｓ）が設けられ、前記シート部材（１０）は、全部又は一部を表示可能領域（１１）とする可撓性を有するシート状であり、前記スリット（２０）は、前記シート部材（１０）の表示可能領域（１１）側に照明装置（Ｓ）からの光が裏側から通過する光通過穴（２１）となり、前記シート部材（１０）の任意の特定の位置に少なくとも１以上を設けられたスリット（２０）の穴であり、前記照明装置（Ｓ）からの照明光が該スリット（２０）を通過することを特徴とする照明装置（Ｓ）付きシート状案内表示物（２）。
【請求項１９】
照明装置（Ｓ）を備えた案内表示物であって、シート部材（１０）は、スリット（２０）と開口保持部材（２９）を設ける構成から成り、該シート部材（１０）の裏側あるいは、裏側の側方あるいは上下方部に、照明装置（Ｓ）が設けられ、前記シート部材（１０）は、全部又は一部を表示可能領域（１１）とする可撓性を有するシート状であり、前記スリット（２０）は、前記シート部材（１０）の表示可能領域（１１）側に照明からの光が裏側から通過する光通過穴（２１）となり、前記シート部材（１０）の任意の位置に少なくとも１以上を設けられたスリット（２０）の穴であり、前記開口保持部材（２９）は前記任意の位置に設けられたスリット（２０）位置に設けられ、前記スリット（２０）を前記シート部材（１０）の略面直方向に開口させた面直開口部を保持する開口保持部材（２９）であり、前記光通過穴（２１）を通過した、前記照明装置（Ｓ）からの光で、表示可能領域（１１）を照らすことを特徴とする照明装置（Ｓ）付きシート状案内表示物（２）。 
【請求項２０】
前記面直開口部において、面直の上側の開口辺を上側開口辺（２７）、下側の開口辺を下側開口辺（２８）とし、前記上側開口辺（２７）または前記下側開口辺（２８）の内側に、照明を反射させる照明反射加工部（２６）が設けられたことを特徴とする請求項１９に記載の照明装置（Ｓ）付きシート状案内表示物（２）。
【請求項２１】
前記上側開口辺（２７）あるいは前記下側開口辺（２８）に照明装置（Ｓ）の照明支持補助部材（３５）を設けたことを特徴とした請求項２０に記載の照明装置（Ｓ）付きシート状案内表示物（２）。  
【請求項２２】
前記照明装置（Ｓ）付きシート状案内表示物が２以上のシート部材（１０）からなり、前記スリット（２０）を前記シート部材（１０）の略面直方向に開口させた面直開口部が、２以上のシート部材（１０）によって形成されていることを特徴とする請求項１９から請求項２１のいずれかに記載の照明装置（Ｓ）付きシート状案内表示物（２）。
【請求項２３】
前記２以上のシート部材（１０）からなる照明装置（Ｓ）付きシート状案内表示物（２）において、前記スリット（２０）を前記シート部材（１０）の略面直方向に開口させた面直開口部が、２以上のシート部材（１０）によって形成され、該２以上のシート部材（１０）の内、２のシート部材（１０）において、該２のシート部材（１０）の内、１のシート部材（１０）をシート部材Ａ（８９）、他方の１のシート部材（１０）をシート部材Ｂ（８８）として、シート部材Ａ（８９）が下側開口辺（２８）を形成し、シート部材Ｂ（８８）が上側開口辺（２７）を形成し、照明装置（Ｓ）であるスリット（２０）照明装置（Ｓ）が、前記面直開口部の内側に設けられていることを特徴とする請求項２２に記載の照明装置（Ｓ）付きシート状案内表示物（２）。
【請求項２４】
前記２以上のシート部材（１０）の内、１以上が、板状部材であることを特徴とする請求項２２または請求項２３のいずれかに記載の照明装置（Ｓ）付きシート状案内表示物（２）
【請求項２５】
照明装置（Ｓ）付きシート状案内表示物（２）において、
シート部材（１０）は、スリット（２０）と開口保持部材（２９）を設け、
前記シート部材（１０）は、全部又は一部を表示可能領域（１１）とする可撓性を有するシート状であり、
前記スリット（２０）にスリット（２０）照明装置（Ｓ）が設けられ、
前記スリット（２０）は、前記シート部材（１０）の表示可能領域（１１）側に照明からの光が裏側から通過する光通過穴（２１）となり、
前記シート部材（１０）の任意の位置に少なくとも１以上を設けられたスリット（２０）の穴であり、
前記開口保持部材（２９）は前記任意の位置に設けられたスリット（２０）位置に設けられ、
前記スリット（２０）を前記シート部材（１０）の略面直方向に開口させた面直開口部を保持する開口保持部材（２９）であり、
前記光通過穴（２１）を通過した、前記照明装置（Ｓ）からの光で、表示可能領域（１１）を照らし、
前記面直開口部において、面直開口部の上側の開口辺を上側開口辺（２７）、下側の開口辺を下側開口辺（２８）とし、下側開口辺（２８）側の前記シート部材（１０）に、照明支持補助部材（３５）が設けられ、スリット（２０）照明装置（Ｓ）が、該照明支持補助部材（３５）に設けられたことを特徴とする照明装置（Ｓ）付きシート状案内表示物（２）。 
【請求項２６】
前記面直開口部から、、略開口方向に前記スリット照明装置が突き出して設けられて、表示可能領域（１１）を照らすことを特徴とする請求項２３から請求項２５のいずれかに記載の照明装置（Ｓ）付きシート状案内表示物。  
【請求項２７】
前記照明装置（Ｓ）付きシート状案内表示物（２）において、前記照明装置（Ｓ）がスリット（２０）部に設けられた、スリット（２０）照明装置（Ｓ）を設けたことを特徴とする請求項１８から請求項２５のいずれかに記載の照明装置（Ｓ）付きシート状案内表示物（２）。  
【請求項２８】
前記照明装置（Ｓ）付きシート状案内表示物（２）において、前記スリット（２０）が、断続的に設けられたことを特徴とする請求項１８から請求項２７のいずれかに記載の照明装置（Ｓ）付きシート状案内表示物（２）。
【請求項２９】
前記照明装置（Ｓ）付きシート状案内表示物（２）において、スリット（２０）照明装置（Ｓ）が、スリット（２０）部に設けられており、且つ、前記スリット（２０）を前記シート部材（１０）の略面直方向に開口させた面直開口部を保持する開口保持部材（２９）でもあることを特徴とする請求項１８から請求項２８のいずれかに記載の照明装置（Ｓ）付きシート状案内表示物（２）。
【請求項３０】
前記照明装置（Ｓ）付きシート状案内表示物（２）において、スリット（２０）照明装置（Ｓ）が、前記シート部材（１０）に貼着されたことを特徴とする請求項１８から請求項２９のいずれかに記載の照明装置（Ｓ）付きシート状案内表示物（２）。
【請求項３１】
前記照明装置（Ｓ）付きシート状案内表示物（２）において、前記シート部材（１０）は支持材（２３）に設けられており、該支持材（２３）は、該シート部材（１０）の位置を保持する機能を持ち、スリット（２０）照明装置（Ｓ）が該支持材（２３）に設けられたことを特徴とする請求項１８から請求項３０のいずれかに記載の照明装置（Ｓ）付きシート状案内表示物（２）。
【請求項３２】
照明装置（Ｓ）を備えた案内表示物であって、シート部材（１０）は、スリット（２０）及び照明装置（Ｓ）を設ける構成から成り、前記シート部材（１０）は、全部又は一部を表示可能領域（１１）とする可撓性を有するシート状であり、前記スリット（２０）は、前記シート部材（１０）の表示可能領域（１１）側に照明装置（Ｓ）を突き出す照明突出穴となり、該照明突出穴に設けられた照明装置（Ｓ）を突出照明装置（Ｓ）とし、前記シート部材（１０）が、該突出照明装置（Ｓ）を備え、該突出照明装置（S）が遮光傘（５６）を備え、表示可能領域（１１）を照らすことを特徴とする照明装置（Ｓ）付きシート状案内表示物（２）。
【請求項３３】
前記シート部材（１０）が１以上の構成からなり、前記シート部材（１０）は、１以上の構成では湾曲あるいは、屈曲されていることにより、あるいは、２以上の構成では前記シート部材（１０）の一辺が係止されていることにより、２方向以上に表示可能な該シート部材（１０）が１以上のスリット（２０）を設け、２方向以上に表示可能であることを特徴とする請求項１８から請求項３２のいずれかに記載の照明装置（Ｓ）付きシート状案内表示物（２）。
【請求項３４】
前記スリット（２０）が、曲線または折れ線であることを特徴とする請求項１８から請求項３３のいずれかに記載の照明装置（Ｓ）付きシート状案内表示物（２）。
【請求項３５】
前記スリット（２０）が、ファスナー（７０）または面ファスナー（７０）で設けられたことを特徴とする請求項１８から請求項３４のいずれかに記載の照明装置（Ｓ）付きシート状案内表示物（２）。 
【手続補正２】
【補正対象書類名】明細書
【補正対象項目名】０００２
【補正方法】変更
【補正の内容】
【０００２】
従来から看板には、木製や金属製といった平坦な表面に社名や広告等を表示するものがあり、近年においては電子技術の発達に伴い、大型液晶やＬＥＤモニター等へ広告情報がデジタル表示されたものも登場している。係る電子的な表示技術では、表示内容を自由に変更できるという特徴があり、書き直すことが難しい看板等の表示物と比較すると優れた広告媒体といえる。また、簡易的な看板の表示部材として、イーゼルスタンド型のボードに広告やメニューを記載する方法や、伝統的な宣伝方法として、布状物に染色によって表示する暖簾やのぼりを用いた方法も存在する。
【手続補正３】
【補正対象書類名】明細書
【補正対象項目名】０００８
【補正方法】変更
【補正の内容】
【０００８】
【特許文献１】特開２００２−１３２１９４
【特許文献２】特願２００２‐１３０９７９